(57)【要約】【課題】            基板への実装の際の前倒れを防止でき、偏心錘の重量を上げることなく、載置位置の規制を受けることなく振動量を増加できる振動モータの提供。【解決手段】        振動モータ１は、モータケース１０と、モータケース１０の前方端から突出した先端に偏心錘１３が取着されたモータ軸１１と、モータケース１０の後方端を塞ぐ端蓋１６及び端蓋１６からモータケース１０の外部に引き出された通電端子１４を有する。通電端子１４には基板３０に成形された接続端子（図示せず）に接続される、中継端子片２０が接続される。振動モータ１は基板３０の孔部３１にモータケース１０の一部を収容し、偏心錘１３を斜め上方に向けた状態で斜めに固定される。【選択図】          図２
2007215287.tif 000002
【特許請求の範囲】
【請求項１】
モータケースの前方端から突出したモータ軸の先端に偏心錘が取着され、前記モータケースの後方端が端蓋により塞がれ、前記モータケースの外部に通電端子が引き出された振動モータであって、
前記端蓋の後方側には、前記通電端子に接続される中継端子片が固定され、
前記中継端子片は、前記端蓋に対向する取付部と、該取付部から更に後方へ突出した板状の突出部とを有することを特徴とする振動モータ。
【請求項２】
前記取付部は、前記モータ軸に対して略垂直な面において前記端蓋と対向し、
前記突出部の板面は、前記取付部と端蓋との対向面に対して、鈍角の開角をなすことを特徴とする請求項１記載の振動モータ。
【請求項３】
モータケースの前方端から突出したモータ軸の先端に偏心錘が取着され、前記モータケースの後方端が端蓋により塞がれ、前記モータケースの外部に通電端子が引き出された振動モータを、配線基板に実装した振動モータの実装体であって、
前記端蓋の後方側には、前記通電端子に接続される中継端子片が固定され、
前記中継端子片は、前記端蓋に対向する取付部と、該取付部から更に後方へ突出した板状の突出部とを有し、
前記モータケースの一部を、前記配線基板に形成された孔部に収容し、
前記突出部の板面を、前記配線基板に形成された接続端子に対向させて接続したことを特徴する振動モータの実装体。
【請求項４】
前記取付部は、前記モータ軸に対して略垂直な面において前記端蓋と対向し、
前記突出部の板面は、前記取付部と端蓋との対向面に対して鈍角の開角をなし、
前記モータ軸は、前記配線基板の板面に対して傾いていることを特徴とする請求項３記載の振動モータの実装体。
【請求項５】
前記モータケースは、前記配線基板上の接続端子から離れた箇所において、前記孔部の周縁の一部に接していることを特徴とする、請求項３又は４記載の振動モータの実装体。
【請求項６】
前記孔部の周縁は、前記モータケースの横幅と略等しい横幅の矩形状を有することを特徴とする請求項５記載の振動モータの実装体。
【請求項７】
前記孔部の周縁は、前記接続端子から離れた箇所において横幅が徐々に狭くなる台形状、三角形状又は半楕円形状を有することを特徴とする請求項５記載の振動モータの実装体。
【発明の詳細な説明】
【技術分野】
【０００１】
本発明は、携帯電話等に使用される、偏心錘を有する振動モータ及びその実装体に関する。
【背景技術】
【０００２】
従来、振動モータは、例えば特開２００４−８８９１８に開示されているように、ブラシ付モータ本体とこれから突出したモータ軸に取着した偏心錘とから成り、多くの場合、携帯電話機の本体器側に内蔵した基板の上に横臥姿勢で実装されている。
【０００３】
【特許文献１】特開２００４−８８９１８
【発明の開示】
【発明が解決しようとする課題】
【０００４】
しかしながら、偏心錘の大型化（重量化）又はモータ本体の小型化の傾向により、一層、振動モータの重心が偏心錘寄りに位置することになり、リフロー炉を使用して振動モータを基板に半田固定する場合、振動モータを基板上に載置した際には、モータ本体がその後端側で基板から浮いて偏心錘側へ傾き、振動モータが前倒れ姿勢となってしまう。この前倒れ姿勢の振動モータではモータ端子と基板上の導電パターンとが密着せず、このままではリフロー炉に基板を送り込むことができない。
【０００５】
また、振動モータの振動量を増幅させるためには、偏心錘の大型化（重量化）の他に、偏心錘の回転半径を大きくする方法が有効であるが、振動モータは一般的に基板上に横臥姿勢で実装されるので、偏心錘の回転半径をモータの径より大きくすることは困難である。もっとも、振動モータを基板の端部に載置して、偏心錘を基板の外に出す構成を採用すれば、偏心錘の回転半径を大きくすることが可能であるが、振動モータの載置位置の規制を受けてしまう。
【０００６】
そこで上記問題点に鑑み、本発明の課題は、基板への実装の際の前倒れを防止でき、さらに載置位置の制約を受けずに偏心錘の回転半径を大きくすることが可能な振動モータ及びその実装体を提供することにある。
【課題を解決するための手段】
【０００７】
上記課題を解決するため、本発明に係わる振動モータは、モータケースの前方端から突出したモータ軸の先端に偏心錘が取着され、モータケースの後方端が端蓋により塞がれ、モータケースの外部に通電端子が引き出された振動モータであって、端蓋の後方側には、通電端子に接続される中継端子片が固定され、中継端子片は、端蓋に対向する取付部と、取付部から更に後方へ突出した板状の突出部とを有することを特徴とする。
【０００８】
また、取付部は、モータ軸に対して略垂直な面において端蓋と対向し、突出部の板面は、取付部と端蓋との対向面に対して、鈍角の開角をなすことを特徴とする。
【０００９】
さらに、本発明に係わる振動モータの実装体では、モータケースの前方端から突出したモータ軸の先端に偏心錘が取着され、モータケースの後方端が端蓋により塞がれ、モータケースの外部に通電端子が引き出された振動モータを、基板に実装した振動モータの実装体であって、端蓋の後方側には、通電端子に接続される中継端子片が固定され、中継端子片は、端蓋に対向する取付部と、取付部から更に後方へ突出した板状の突出部とを有し、モータケースの一部を、基板に形成された孔部に収容し、突出部の板面を、基板に形成された接続端子に対向させて接続したことを特徴とする。
【００１０】
また、取付部は、モータ軸に対して略垂直な面において端蓋と対向し、突出部の板面は、取付部と端蓋との対向面に対して鈍角の開角をなし、モータ軸は、基板の板面に対して傾いていることを特徴とする。
【００１１】
さらに、モータケースは、基板上の接続端子から離れた箇所において、孔部の周縁の一部に接していることを特徴とする。
【００１２】
この孔部に振動モータを固定すると、振動モータは、偏心錘を斜め上方に向けた状態で斜めに固定されるため、振動モータの前倒れを防止することができる。また、偏心錘が斜め上方を向いているので基板との間にスペースが確保でき、その分偏心錘の回転半径を大きくすることが可能となる。
【００１３】
ここで、基板の孔部の周縁を、モータケースの横幅と略等しい横幅を有するようにすると、振動モータの固定の際に横方向のブレを抑える事ができ、高精度の取り付けが可能となる。
【００１４】
また、基板の孔部の周縁を、接続端子から離れた箇所において、横幅が徐々に狭くなる台形状または三角形状を有するようにすると、振動モータの固定に際しては、モータケースが、接続端子と台形状（三角形状）の横幅の両端部との３点接触固定されるので、モータの固定強度、固定精度が向上する。
【００１５】
さらに、基板の孔部の周縁を、接続端子から離れた箇所において、半楕円形状を有するようにすると、モータケースが円形状の場合、モータケースと基板との接触が面接触となるので、モータの固定強度、固定精度がより一層向上する。
【００１６】
また、中継端子片の突出部の板面が、振動モータを孔部に固定した際に、接続端子に対向させて接続するように形成すると、突出部と基板の接続端子との接触が良好になり、モータの固定強度、固定精度も向上し、半田付け強度も向上する。
【００１７】
この中継端子片の突出部の板面を取付部と端蓋との対向面に対して鋭角の開角をなすように形成し、その突出部の板面と基板の接続端子を半田付けし、モータを斜めに立ち上げる格好で固定することも可能であり、その場合は基板に孔部を形成する必要が無くなるが、モータの固定強度、高さ方向のスペース、取り付けの容易性等を考慮すると、本発明の構成を採用するほうが好ましい。
【発明の効果】
【００１８】
本発明では、振動モータは、偏心錘を斜め上方に向けた状態で斜めに固定されるため、振動モータの前倒れを防止することができる。また、偏心錘が斜め上方を向いているので基板との間にスペースが確保でき、その分偏心錘の回転半径を大きくすることが可能となり、偏心錘の重量を上げることなく、また、振動モータの載置位置の規制を受けることなく、振動量を増加できる。
【００１９】
さらに、基板の孔部の周縁を、横幅がモータケースの横幅と略等しい矩形状を有したり、台形状や三角形状を有したり、半楕円形状を有した構成では、モータの固定強度、固定精度が向上する。
【００２０】
また、振動モータの中継端子片の突出部の板面を、振動モータを孔部に固定した際に、接続端子に対向させて接続するように形成すると、モータの固定強度、固定精度が向上し、半田付け強度も向上する。
【発明を実施するための最良の形態】
【００２１】
次に、本発明の実施形態を添付図面に基づいて説明する。
【実施例１】
【００２２】
図１（ａ）は、本発明の実施例に係わる振動モータと中継端子片を示す組み立て斜視図、図１（ｂ）は、同振動モータに中継端子片を接続させた平面図、図２（ａ）は、同振動モータを基板に実装した状態を示す斜視図、図２（ｂ）は、同状態を示す断面図、図３（ａ）は、同振動モータの中継端子片の正面図、図３（ｂ）は、同中継端子片の側面図である。
【００２３】
本実施例の振動モータ１は、モータケース１０と、モータケースの前方端から突出した先端に偏心錘１３が取着されたモータ軸１１と、モータケース１０の後方端を塞ぐ端蓋１６と、端蓋１６からモータケース１０の外部に引き出された通電端子１４を有する。端蓋１６の後方側には通電端子１４に接続される中継端子片２０が固定され、中継端子片２０は、端蓋１６に対向する取付部２０ａと、取付部２０ａから更に後方へ突出した板状の突出部２０ｂを有しており、取付部２０ａは、モータ軸１１に対して略垂直な面において端蓋１６と対向し、突出部２０ｂの板面は、取付部２０ａと端蓋１６との対向面に対して、鈍角の開角をなしている。
【００２４】
この突出部２０ｂの板面が、基板３０に成形された接続端子（図示せず）に対向させて接続される。なお、１５は中継端子片２０を端蓋１６に固定する際に位置決めを行なう突起であり、２１はその突起１５を嵌合する穴である。
【００２５】
基板３０には、孔部３１が形成され、振動モータ１は、この孔部３１にモータケース１０の一部を収容し、突出部２０ｂの板面を、接続端子（図示せず）に対向させて接続させて固定されている。
【００２６】
振動モータ１を孔部３１に固定した際に、モータ軸１１は、基板３０の板面に対して傾いている。
【００２７】
その為、振動モータ１は、偏心錘１３を斜め上方に向けた状態で斜めに固定される。それにより、振動モータ１の前倒れを防止することができる。また、偏心錘１３が斜め上方を向いているので基板３０との間にスペースが確保でき、その分偏心錘１３の回転半径を大きくすることが可能となり、また孔部３１は基板３０の任意の場所に成形することが可能であるので、振動モータ１は、偏心錘１３の重量を上げることなく、また基板３０の載置位置の規制を受けることなく、振動量を増加することも可能である。
さらに中継端子片２０が前述のような突出部２０ｂを有していれば、突出部２０ｂと基板３０に成形された接続端子（図示せず）の接触面積が大きくなり、振動モータ１を安定して固定できるので、振動モータ１の固定強度、固定精度が向上し、振動モータ１と基板３０との半田付け強度も向上する。
【００２８】
なお、本例では突出部２０ｂは取付部２０ａの一端より突出しているが、本例はこれに限定されず、例えば取付部２０ａの中央部から突出させる構成も可能である。
【実施例２】
【００２９】
図４（ａ）は本発明の実施例２に係わる基板（孔部）を示す斜視図である。
【００３０】
本実施例では、基板４０の孔部４１の周縁は、横幅Ｎがモータケース１０の横幅と略等しい矩形状を有しており、振動モータ１を孔部４１に固定する際に振動モータ１の横方向のブレを抑える事ができ、高精度の取り付けが可能となる。
【実施例３】
【００３１】
図４（ｂ）は本発明の実施例３に係わる基板（孔部）を示す斜視図である。
【００３２】
本実施例では、基板５０の孔部５１の周縁５１ａは、横幅Ｎ’が、接続端子（図示せず）から離れた箇所において徐々に狭くなっていく台形状となっており、振動モータ１の固定に際しては、モータケース１０が、接続端子（図示せず）と台形状の周縁５１ａの両端部との３点接触固定されるので、振動モータ１の固定強度、固定精度が向上する。
【００３３】
なお、本実施例の孔部５１の周縁５１ａは台形状としたが、例えば三角形状でも同様の効果が期待できる。
【実施例４】
【００３４】
図４（ｃ）は本発明の実施例４に係わる基板（孔部）を示す斜視図である。
【００３５】
本実施例では、基板６０の孔部６１の周縁６１ａは、接続端子（図示せず）から離れた箇所において半楕円形状となっており、円形状のモータケース１０と周縁６１ａとの接触が面接触となるので、振動モータ１の固定強度、固定精度がより一層向上する。
【図面の簡単な説明】
【００３６】
【図１】（ａ）は本発明の実施例に係わる振動モータと中継端子片を示す組み立て斜視図、（ｂ）は同振動モータに中継端子片を接続させた平面図である。
【図２】（ａ）は同振動モータを基板に実装した状態を示す斜視図、（ｂ）は同状態を示す断面図である。
【図３】（ａ）は同振動モータの中継端子片の正面図、（ｂ）は同中継端子片の側面図である。
【図４】（ａ）は本発明の実施例２に係わる基板（孔部）を示す斜視図、（ｂ）は本発明の実施例３に係わる基板（孔部）を示す斜視図、（ｃ）は本発明の実施例４に係わる基板（孔部）を示す斜視図である。
【符号の説明】
【００３７】
１…振動モータ
１０…モータケース
１１…モータ軸
１３…偏心錘
１４…通電端子
１５…突起
１６…端蓋
２０…中継端子片
２０ａ…取付部
２０ｂ…突出部
２１…穴
３０，４０，５０，６０…基板
３１，４１，５１，６１…孔部
５１ａ，６１ａ…周縁
【図１】
2007215287.tif 000003
【図２】
2007215287.tif 000004
【図３】
2007215287.tif 000005
【図４】
2007215287.tif 000006